(57)【要約】  本発明は、自動車のトランスミッションの油圧を検出するための圧力測定ユニット（１）であって、圧力測定ユニット（１）は、回路支持体（２）と、圧力センサ（３）と、電気的なインターフェース（４）と、機械的なインターフェース（５）と、液圧式のインターフェース（６）とを有しており、圧力センサ（３）は、回路支持体（２）の第１の側（２．１）で、電気的なインターフェース（４）によって回路支持体（２）に電気的に接続されており、かつ機械的なインターフェース（５）によって回路支持体（２）に機械的に接続されており、回路支持体（２）の、第１の側（２．１）とは反対に位置する側（２．２）に、圧力測定ユニット（１）をユーザ液圧コンポーネントに接続させるための液圧式のインターフェース（６）が配置されており、圧力センサ（３）と液圧式のインターフェース（６）との間の圧力を均等化するために、回路支持体（２）に開口部（２．３）が配置されている、圧力測定ユニット（１）に関する。
2021507237.tif 000002
【特許請求の範囲】
【請求項１】
自動車のトランスミッションの油圧を検出するための圧力測定ユニット（１）であって、
前記圧力測定ユニット（１）は、回路支持体（２）と、圧力センサ（３）と、電気的なインターフェース（４）と、機械的なインターフェース（５）と、液圧式のインターフェース（６）とを有しており、
前記圧力センサ（３）は、前記回路支持体（２）の第１の側（２．１）で、前記電気的なインターフェース（４）によって前記回路支持体（２）に電気的に接続されているとともに、前記機械的なインターフェース（５）によって前記回路支持体（２）に機械的に接続されており、
前記回路支持体（２）の、前記第１の側（２．１）とは反対に位置する側（２．２）に、前記圧力測定ユニット（１）をユーザ液圧コンポーネントに接続させるための液圧式のインターフェース（６）が配置されており、
前記圧力センサ（３）と前記液圧式のインターフェース（６）との間の圧力を均等化するために、前記回路支持体（２）に開口部（２．３）が配置されており、
前記圧力センサ（３）は、ＳＭＤコンポーネントとして構成されている、圧力測定ユニット（１）。
【請求項２】
前記電気的なインターフェース（４）は、前記圧力センサ（３）の電気的な接続部分（４．１）と、前記回路支持体の接触面（４．２）とを含む、請求項１記載の圧力測定ユニット（１）。
【請求項３】
前記機械的なインターフェース（５）は、接着剤によって形成されている、請求項１または２記載の圧力測定ユニット（１）。
【請求項４】
前記回路支持体（２）は、トランスミッション制御ユニットの構成部分である、請求項１から３までのいずれか１項記載の圧力測定ユニット（１）。
【請求項５】
請求項１から４までのいずれか１項記載の圧力測定ユニット（１）を有する接続アセンブリであって、
前記圧力測定ユニット（１）に、前記液圧式のインターフェース（６）によって、ユーザ液圧コンポーネント（７）が接続されている、接続アセンブリ。
【請求項６】
前記液圧式のインターフェース（６）は、リング形のシーリング部分（８）によって、前記リング形のシーリング部分（８）の周囲に対して気密または液密に、前記ユーザ液圧コンポーネント（７）に接続されている、請求項５記載の接続アセンブリ。
【発明の詳細な説明】
【技術分野】
【０００１】
本発明は、電気的なインターフェースと、機械的なインターフェースと、液圧式のインターフェースとを有する、トランスミッションの油圧センサのための圧力測定ユニットおよび接続アセンブリに関する。
【背景技術】
【０００２】
低燃費を低排出量で実現するためには、自動車において正確な圧力データを検出しなければならない。これらのデータは、自動車の種々の制御プロセスに対して影響を及ぼし得る。
【０００３】
乗用車のためのオートマチックトランスミッションは、主に電子的に制御され、電子制御装置は、自動車内の複数のセンサから信号を受信して評価する。このために、トランスミッションの作動油内の圧力を１つまたは複数のセンサによって測定しなければならない。さらに、最新の機関制御装置は、吸気負圧を評価し、このために、吸気管内に設置された圧力センサを必要とする。
【０００４】
本発明は、自動車のトランスミッションにおける油圧を監視するために設けられている。本発明はさらに、例えばブレーキ液、燃料、油、尿素、および汚染空気に対する媒体耐性に関してより高い要求を有する、自動車用の圧力センサにおいて使用するためにも適している。さらなる使用分野は、圧力センサを用いて液圧が測定されなければならない、組み込まれたまたは取り付けられた制御装置である。
【０００５】
トランスミッション、とりわけ車両のトランスミッションのための評価ユニットおよび／または制御ユニットに油圧センサを結合させるために、電圧供給および信号伝送のための個別のインターフェースと、圧力センサを機械的に固定するための個別のインターフェースと、監視対象である液圧コンポーネントに接続させるための個別のインターフェースとを有する装置が使用される。
【０００６】
これら３つのインターフェースを実現するために、圧力センサの周囲には比較的大きくて複雑なハウジングが配置される。これによってコストの増加と、寸法の増加とが引き起こされる。さらに、ハウジングの構造は、その時々の設置条件と結び付いており、したがって、電気的なインターフェースおよび機械的なインターフェースを、高コストの設計によって適合させる必要がある。
【０００７】
独国特許出願公開第１９８３４２１２号明細書からは、制御回路と、トランスミッション内の液圧を測定するための圧力センサとを有する制御装置が公知であり、この制御回路と圧力センサとは、ハウジング内に収容されている。ハウジングは、トランスミッションの液圧ユニットに圧力密に接続されている金属製のベースプレートを有している。このベースプレートには孔が設けられており、この孔を通って圧力センサに圧力が印加される。圧力センサのための支持体は、円筒形の突起を有しており、この円筒形の突起は、孔に押し込まれており、材料が押しのけられることによって支持体とベースプレートとの間に気密の摩擦結合が形成されるようになっている。この配置構成は、高い製造コストを必要とする。
【発明の概要】
【発明が解決しようとする課題】
【０００８】
本発明の基礎となる課題は、低コストで簡単な接続手段を可能にする、冒頭に述べた形式の圧力測定ユニットおよび接続アセンブリを提供することである。
【課題を解決するための手段】
【０００９】
上記の課題は、請求項１の特徴による圧力測定ユニットと、請求項６の特徴による接続アセンブリとによって解決される。
【００１０】
有利な実施形態は、従属請求項の対象である。
【００１１】
圧力測定ユニットは、回路支持体と、圧力センサと、電気的なインターフェースと、機械的なインターフェースと、液圧式のインターフェースとを有している。
【００１２】
本発明によれば、圧力センサは、回路支持体の第１の側で、電気的なインターフェースによって回路支持体に電気的に接続されているとともに、別個の機械的なインターフェースによって回路支持体に機械的に接続されている。
【００１３】
回路支持体の、第１の側とは反対に位置する側に、圧力測定ユニットをユーザ液圧コンポーネントに接続させるための液圧式のインターフェースが配置されており、圧力センサと液圧式のインターフェースとの間の圧力を均等化するために、回路支持体に開口部が配置されている。
【００１４】
液圧式のインターフェースは、圧力センサから切り離されており、電気的なインターフェースおよび機械的なインターフェースは、圧力測定ユニットに組み込まれており、制御ユニットに低コストに接続されることができる。
【００１５】
さらに、圧力センサは、もはやユーザインターフェースと直接的に接触しなくなり、これによってフレキシブルな設置位置が可能となる。
【００１６】
有利には、電気的なインターフェースは、例えばリードフレームのような、圧力センサの電気的な接続部分と、例えばはんだパッドのような、回路支持体の接触面とを含む。
【００１７】
さらに、圧力センサと回路支持体との間の機械的なインターフェースが、接着剤によって形成されていることが有利である。この標準的な方法は、広範囲に普及しており、低コストに実施される。
【００１８】
圧力センサは、とりわけ、表面実装可能なＳＭＤコンポーネントとして構成されている。これにより、小さな構造寸法で高い測定精度を有する、低コストの実施形態が可能となる。
【００１９】
さらに、回路支持体を、トランスミッション制御ユニットの構成部分として構成することが有利であり、これによって、特に低コストの実施形態が可能となる。
【００２０】
本発明による接続アセンブリでは、圧力測定ユニットに、液圧式のインターフェースによって、ユーザ液圧コンポーネントが接続されている。
【００２１】
有利な実施形態は、液圧式の接続部を、リング形のシーリング部分によって、周囲に対して気密または液密に、ユーザ液圧コンポーネントに接続させることを企図している。例えば、このために、Ｏリングを有するシーリングを使用することができる。
【００２２】
したがって、高圧の環境を密閉する液圧式のインターフェースを、センサから独立してセンサユニットの周囲に実現することができる。
【００２３】
この接続アセンブリにより、ユーザ液圧システムのコンポーネントを圧力センサに接続させるための技術の小型化および簡素化が達成される。
【００２４】
以下では、本発明を、実施例に基づいてより詳細に説明する。
【図面の簡単な説明】
【００２５】
【図１】圧力測定ユニットの概略図である。
【図２】接続アセンブリの概略図である。
【発明を実施するための形態】
【００２６】
図１は、回路支持体２と、圧力センサ３とを有する圧力測定ユニット１を示す。圧力測定ユニット１は、電気的なインターフェースと、機械的なインターフェースと、液圧式のインターフェースとを有している。
【００２７】
圧力センサ３は、回路支持体２の第１の側２．１で、ここでは表側で、電気的なインターフェース４によって回路支持体２に電気的に接続されており、かつ機械的なインターフェース５によって回路支持体２に機械的に接続されている。圧力センサ３として、好ましくは、ＳＭＤコンポーネントとして構成された圧力センサが使用される。
【００２８】
電気的なインターフェース４は、ここでは、例えばリードフレームのような、圧力センサ３の電気的な接続部分４．１と、例えばはんだパッドのような、回路支持体の接触面４．２とを有している。機械的なインターフェース５は、ここでは簡単にするために、接着剤によって形成されている。接着剤として、例えば標準的なエポキシ樹脂を使用することができる。
【００２９】
回路支持体２の、第１の側２．１とは反対に位置する側２．２に、ここでは裏側に、圧力測定ユニット１をユーザ液圧コンポーネントに接続させるための液圧式のインターフェース６が配置されている。
【００３０】
液圧式のインターフェース６は、例えば、回路支持体２によって、または追加コンポーネントによって実現することができる。
【００３１】
回路支持体２の表側にある圧力センサ３と、回路支持体２の裏側にある液圧式のインターフェース６との間の圧力の均等化を可能にするために、回路支持体２に開口部２．３が配置されている。圧力センサ３と回路支持体２との間の接着剤５は、このために、対応する開口部５．１を有している。
【００３２】
図２は、図１による圧力測定ユニット１を有する接続アセンブリを示す。圧力測定ユニット１には、液圧式のインターフェース６によって、監視対象であるユーザ液圧コンポーネント７が接続されている。
【００３３】
このために、ユーザ液圧コンポーネント７は、外部の圧力が圧力センサ３に作用し得ないように、液圧式のインターフェース６に圧力密に取り付けられている。このために、液圧式のインターフェース６は、リング形のシーリング部分８によって、このリング形のシーリング部分８の周囲に対して気密または液密に、ユーザ液圧コンポーネント７に接続されている。シーリング８のために、好ましくは弾性のＯリングが使用される。
【図１】
2021507237.tif 000003
【図２】
2021507237.tif 000004
【国際調査報告】
2021507237.tif 000005
2021507237.tif 000006
2021507237.tif 000007
2021507237.tif 000008